(57)【要約】【課題】使用開始の際のポップノイズによる不快感を減少させることができるとともに、構造が簡単なヘッドホン装置を提供する。【解決手段】スピーカ２３を内蔵した一対のヘッドホンユニット２と、ヘッドホンユニット２を連結するヘッドホンバンド１と、ヘッドホンユニットの自動折畳機構３と、電源スイッチ部４を備える。ヘッドホンユニット２は、ヘッドホンバンド１の延長方向を中心軸として回動可能であり、電源スイッチ部４は、ヘッドホンユニット２の回動位置に応じてオンオフするものである。すなわち、ヘッドホンユニット２の回動位置が、スピーカ２３の音響出力面を対向させる位置であるときに、供給電源をオン状態とし、スピーカ２３の音響出力面を略同一平面内に存在させる位置であるときに、供給電源をオフ状態とする。自動折畳機構３は、ヘッドホン装置の非使用時に、スピーカ２３の音響出力面が略同一平面内に存在する位置に、ヘッドホンユニット２を回動させる。【選択図】図１
2005094603.tif 000002
【特許請求の範囲】
【請求項１】
供給電源のオンオフが可能なヘッドホン装置であって、
スピーカユニットを内蔵した一対のヘッドホンユニットと、
前記ヘッドホンユニットを連結するヘッドホンバンドと、
前記ヘッドホンユニットの少なくとも一方に設けられ、前記供給電源の状態を制御する電源スイッチを備え、
前記ヘッドホンユニットは、前記ヘッドホンバンドの延長方向を中心軸として回動可能であり、
前記電源スイッチは、前記ヘッドホンユニットの回動位置に応じてオンオフするものであるヘッドホン装置。
【請求項２】
請求項１記載のヘッドホン装置であって、
前記電源スイッチは、前記ヘッドホンユニットの回動位置が、前記スピーカユニットの音響出力面を対向させる位置であるときに、前記供給電源をオン状態とするものであるヘッドホン装置。
【請求項３】
請求項１又は２記載のヘッドホン装置であって、
前記電源スイッチは、前記ヘッドホンユニットの回動位置が、前記スピーカユニットの音響出力面を略同一平面内に存在させる位置であるときに、前記供給電源をオフ状態とするものであるヘッドホン装置。
【請求項４】
請求項１ないし３のいずれか１項記載のヘッドホン装置であって、
前記ヘッドホンユニットは、自動折畳機構を備え、
前記自動折畳機構は、ヘッドホン装置の非使用時に、前記スピーカユニットの音響出力面が略同一平面内に存在する位置に、前記ヘッドホンユニットを回動させるものであるヘッドホン装置。
【請求項５】
請求項４記載のヘッドホン装置であって、
前記自動折畳機構は、前記ヘッドホンユニットを回動させるトーションばねを備えるヘッドホン装置。
【請求項６】
請求項１ないし５のいずれか１項記載のヘッドホン装置であって、
前記電源スイッチは、前記ヘッドホンバンド側に設けられる略円柱形状のカム部材と、前記ヘッドホンユニット側に設けられるスイッチ部材とを含み、
前記スイッチ部材は、弾性力により前記カム部材に当接し、前記ヘッドホンユニットの回動に連動して前記ヘッドホンバンドの延長方向に変位するものであるヘッドホン装置。
【請求項７】
請求項１ないし６のいずれか１項記載のヘッドホン装置であって、
前記ヘッドホンユニットは、無線通信によって音響再生信号を受信する受信部を備えるヘッドホン装置。
【発明の詳細な説明】
【技術分野】
【０００１】
本発明は、供給電源のオンオフが可能なヘッドホン装置に関する。
【背景技術】
【０００２】
音源装置から無線通信によって受信した音響再生信号に基づく音響を再生するワイヤレスタイプのヘッドホン装置等は、ヘッドホン装置内部に電源を備え、ヘッドホン装置内部の受信回路や再生回路に電力を供給している。したがって、このようなヘッドホン装置においては、頭部への装着時に確実に電源オン状態となり、ヘッドホン装置の非使用時には電源オフ状態となることが好ましい。
【０００３】
装着時に自動的に電源がオンとなり、非装着時には自動的にオフとなるワイヤレスヘッドホン装置としては、特許文献１及び２に記載されたものが提案されている。
【０００４】
特許文献１に記載されたヘッドホン装置は、頭部へ装着すると、ヘッドホンユニット側のイヤパッド（耳にあてがう部分）を取り付けている両アーム部材が頭部に押圧されて互いに外側方向へ押し広がって回動し、この回動動作に連動して電源をオンとするスイッチを有するものである。このヘッドホン装置は、ヘッドホン装置を頭部に装着すると自動的に電源がオンとなり、外すとオフとなるので、電源の切り忘れによる電池の無駄な消耗を確実に防止できる。
【０００５】
また、特許文献２に記載されたヘッドホン装置は、頭部に装着された状態で偏位するヘッドパッドによって、ＯＮ・ＯＦＦ状態が切り換えられる電源スイッチを備えるものである。このヘッドホン装置は、電源供給のＯＮ・ＯＦＦの切り換え操作の自動化を可能とするとともに、快適な装着感と長時間の装着とを可能とするものである。
【０００６】
【特許文献１】特開平７−８７５８４号公報
【特許文献２】特開平８−２９４１９１号公報
【発明の開示】
【発明が解決しようとする課題】
【０００７】
特許文献１、２に記載のヘッドホン装置は、イヤパッドを取付けている両アーム部材やヘッドバンド部分の移動によって電源スイッチ動作させるので、構造が複雑になり、耐久性に問題がある。
【０００８】
また、供給電源のオンオフを行うヘッドホン装置は、通常、電源供給されるのと略同時にポップノイズ（「ボツ」といったノイズ音）が発生することが多いが、特許文献１、２に記載のヘッドホン装置は、いずれも、ヘッドホン装置の頭部装着時に電源スイッチがオンとなるので、使用者はポップノイズを耳元で聞くことになり、不快感をもたらす。ポップノイズの発生は、回路的な工夫（例えば、電源供給に連動したミュート回路の付加等）によって解消することも可能であるが、ヘッドホン装置の回路規模が大きくなり、コストアップになるとともに小型化の妨げになる。
【０００９】
本発明は、上記事情に鑑みてなされたもので、使用の際の電源オンオフに伴うポップノイズによる不快感を減少させることができるとともに、構造が簡単なヘッドホン装置を提供することを目的とする。
【課題を解決するための手段】
【００１０】
本発明のヘッドホン装置は、供給電源のオンオフが可能なヘッドホン装置であって、スピーカユニットを内蔵した一対のヘッドホンユニットと、前記ヘッドホンユニットを連結するヘッドホンバンドと、前記ヘッドホンユニットの少なくとも一方に設けられ、前記供給電源の状態を制御する電源スイッチを備え、前記ヘッドホンユニットは、前記ヘッドホンバンドの延長方向を中心軸として回動可能であり、前記電源スイッチは、前記ヘッドホンユニットの回動位置に応じてオンオフするものである。
【００１１】
本発明によれば、使用の際の電源オンオフに伴うポップノイズによる不快感を減少させることができる。すなわち、ヘッドホン装置の頭部への装着前後には、通常ヘッドホンユニットを両手で把持するので、把持したヘッドホンユニットを回動させて、確実に電源のオン状態でヘッドホン装置の装着及び取り外しを行うことができる。また、ヘッドホン装置の非使用時には、ヘッドホンユニットを折り畳むことでヘッドホン装置の厚さ（嵩だか）を薄くすることができ、スペースの狭い自動車や航空機等の乗り物での収納も簡単に行うことができる。
【００１２】
本発明のヘッドホン装置は、前記電源スイッチが、前記ヘッドホンユニットの回動位置が、前記スピーカユニットの音響出力面を対向させる位置であるときに、前記供給電源をオン状態とするものであるものを含む。本発明によれば、ヘッドホン装置を使用状態としたときに電源をオンとすることができ、使用開始の際の電源オンオフに伴うポップノイズによる不快感を減少させることができる。
【００１３】
本発明のヘッドホン装置は、前記電源スイッチが、前記ヘッドホンユニットの回動位置が、前記スピーカユニットの音響出力面を略同一平面内に存在させる位置であるときに、前記供給電源をオフ状態とするものであるものを含む。本発明によれば、ヘッドホンユニットを折り畳んで収納するときには、電源をオフとすることができ、不必要な電力の消費を避けることができる。
【００１４】
本発明のヘッドホン装置は、前記ヘッドホンユニットが、自動折畳機構を備え、前記自動折畳機構は、ヘッドホン装置の非使用時に、前記スピーカユニットの音響出力面が略同一平面内に存在する位置に、前記ヘッドホンユニットを回動させるものであるものを含む。本発明によれば、ヘッドホン装置を頭部から取り外したときに、ヘッドホン装置の厚さを自動的に薄くできるとともに、電源をオフ状態にすることができる。
【００１５】
本発明のヘッドホン装置は、前記自動折畳機構が、前記ヘッドホンユニットを回動させるトーションばねを備えるものを含む。本発明によれば、簡単な構成で自動折畳機構が実現できる。
【００１６】
本発明のヘッドホン装置は、前記電源スイッチが、前記ヘッドホンバンド側に設けられる略円柱形状のカム部材と、前記ヘッドホンユニット側に設けられるスイッチ部材を含み、前記スイッチ部材は、弾性力により前記カム部材に当接し、前記ヘッドホンユニットの回動に連動して前記ヘッドホンバンドの延長方向に変位するものであるものを含む。本発明によれば、簡単な構成で電源スイッチを構成することができる。
【００１７】
本発明のヘッドホン装置は、前記ヘッドホンユニットが、無線通信によって音響再生信号を受信する受信部を備えるものを含む。本発明によれば、音響機器等の音源との間にわずらわしい配線を行う必要がなく、使い勝手が向上する。
【発明の効果】
【００１８】
本発明によれば、使用の際の電源オンオフに伴うポップノイズによる不快感を減少させることができるとともに、構造が簡単なヘッドホン装置を提供することができる。
【発明を実施するための最良の形態】
【００１９】
以下、本発明の実施の形態について、図面を用いて説明する。図１に、本発明の実施の形態のヘッドホン装置の分解斜視図を示す。図１のヘッドホン装置は、自動車等の乗り物で使用するワイヤレスタイプのもので、図示外のカーステレオ等の音響機器からの音響再生信号を赤外線通信により受信し、再生するものである。なお、カーステレオ等の音響機器には、これを搭載した乗り物の室内においてヘッドホン装置のある方向に向けて赤外線を出射させるために、赤外線発光回路を備えている。
【００２０】
図１のヘッドホン装置は、スピーカ２３を内蔵した一対のヘッドホンユニット２（２Ｌ、２Ｒ）と、ヘッドホンユニット２を連結するヘッドホンバンド１と、ヘッドホンバンド１に併設されるヘッドベルト１１を備える。また、ヘッドホンユニットの自動折畳機構３と、電源スイッチ部４を備える。
【００２１】
ヘッドホンバンド１は、頭部の形状に合わせて略逆Ｕ字型に湾曲させた長尺薄板形状を呈するものであって、この両端部分には、ホルダ１２を介してヘッドベルト１１が取り付けられている。
【００２２】
このヘッドベルト１１は、ヘッドホン装置を使用する際に、使用者の頭部にフィットさせてずれないように固定保持するものであり、長尺棒状又は長尺薄板状のものをヘッドホンバンド１と同様に略Ｕ字型に湾曲させて形成される。ヘッドベルト１１の両端部側は、ホルダ１２に対して所定の範囲内でスライド可能な状態で取り付けられる。また、このヘッドベルト１１には、両先端部に軸状又は薄板状の取付軸１１Ａが固設され、取付軸１１Ａには、後述する引張ばね４３の一端が係止される。
【００２３】
また、ヘッドベルト１１は、ヘッドホンユニット２（例えば、後述のベース部材２１等）に対して軸方向（ヘッドホンバンド１の延長方向）に変位可能な状態で取り付けられるが、ヘッドベルト１１の取付軸１１Ａとベース部材２１との間には、ベース部材２１に対してヘッドベルト１１が所定の距離以上スライドして接近するのを防止する図示外の第１リミット手段１３（図２（Ｂ）参照）が設けられる。
【００２４】
すなわち、本実施形態の第１リミット手段１３は、図２（Ｂ）に示すように、取付軸１１Ａに設けた長孔形状のスライド孔１１Ｂと、このスライド孔１１Ｂを貫通して（後述する）カム部材４１に掛け渡すビス等の小ねじ４１Ａとで構成しており、この小ねじ４１Ａがスライド孔１１Ｂに沿って取付軸１１Ａがスライドするときのガイド手段としても機能するようになっている。
【００２５】
一方、この取付軸１１Ａの下端には、図２（Ｂ）に示すように、ベース部材２１との間に後述の引張ばね４３が取り付けられており、この引張ばね４３が取付軸１１Ａとベース部材２１とを互いに接近する方向に弾性力を付勢している。
【００２６】
ホルダ１２は、下部が略円筒形(この部分を、円筒部１２Ａとよぶ)で上部が略円錐形となる形状を呈するものであり、ヘッドベルト１１とヘッドホンバンド１を同時に挟み着けて取り付けるようになっている。また、このホルダ１２は、２分割された片割れどうしを接合させて形成するようになっており、ヘッドホンバンド１に対して不動状態となるようビス等の小ねじ１２Ｂで一体に固着されている。
【００２７】
図１に示すように、一対のヘッドホンユニット２（２Ｌ、２Ｒ）は、ベース部材２１、ベース部材２１に固定された固定基板２２、固定基板２２に搭載されたスピーカ２３、基板２４、蓋部材２５、カバー２６を備える。また、一方のヘッドホンユニット２Ｌは、電源スイッチ部４、電池２８、電池カバー２５Ａを備え、ヘッドホンバンド１の両端部に連結される。
【００２８】
ベース部材２１は、ホルダ１２の円筒部１２Ａに回転自在に装着されているが、このベース部材２１と円筒部１２Ａとの間に後述するコイルばね(トーションばね)３１が取り付けられているため、常時一定方向に向けた回転力が付与されている。なお、一方のヘッドホンユニット２Ｌのベース部材２１には、ヘッドホン装置内部の各電子部品へ給電用の電池２８を固定して収容させるため、図示外の電池ホルダが固設される。
【００２９】
固定基板２２には、ベース部材２１に小ねじ２２Ａで一体に螺着され、固定基板２２の上には、スピーカ２３が小ねじ２３Ａで螺着されて搭載される。また、このスピーカ２３の音響出力面側には、柔軟部材またはクッション材等で形成したイヤパッド２３Ｂが被着される。
【００３０】
基板２４は、ベース部材２１に固設され、受信部、スピーカ駆動部等を構成する各種回路や、ヘッドホン装置の動作状態を示す表示素子(例えば、ＬＥＤ)等が実装される。基板２４は、左右のヘッドホンユニット２Ｌ、２Ｒに備えられるが、一方のヘッドホンユニット２Ｌに設けた基板２４Ｌには、図３に示す受信部２４１を構成する回路が実装される。図３に示すアンプ２４２は、基板２４Ｒに実装され、スピーカ２３を駆動する。
【００３１】
図３は、図１のヘッドホン装置の概略ブロック図であり、音響再生信号を赤外線信号として受信する受信部２４１と、スピーカ２３を駆動するアンプ２４２、電源スイッチ部４、電池（電源）２８を備える。受信部２４１は、赤外線受光回路２４１Ａ、高周波増幅器２４１Ｂ、デコーダ２４１Ｃ、音量調整回路２４１Ｄを含み、音量調整回路２４１Ｄの出力がアンプ２４２に送られる。なお、これらの回路は周知のものであるので説明を省略する。また、図示を省略しているが、電源２８からの電力はアンプ２４２にも供給される。
【００３２】
蓋部材２５は、ベース部材２１と一体に接合してベース部材２１に取り付ける基板２４を外部から保護する(左側の蓋部材２５Ｌは電源スイッチ部４や電池２８等も保護する)ものであり、小ねじ２２Ａで固定基板２２と一体に共締めされてベース部材２１に螺着される。また、基板２４Ｒには、ボリューム２７が設けられ、出力音量を調整することが可能となる。
【００３３】
さらに、一方の蓋部材２５Ｌは、基板２４Ｌに固設する図示外の電池ホルダと対向する部位に電池２８を出し入れさせるための図示外の挿入口を有する。そして、蓋部材２５Ｌの電池挿入口は、電池カバー２５Ａによって塞がれる。
【００３４】
自動折畳機構３は、ヘッドホン装置の非使用時に、スピーカ２３の音響出力面（イヤパッド２３Ｂが被着される側の面）が略同一平面内に存在する位置に、ヘッドホンユニット２を自動的に回動させる機構である。具体的には、ベース部材２１をホルダ１２の円筒部１２Ａの外周面に沿って回動させ、イヤパッド２３Ｂの耳への装着面を、ヘッドホンバンド１が形成する平面（図２の例ではＹ−Ｚ平面）とほぼ平行な状態にするものである。すなわち、ヘッドホン装置の使用時（図２（Ａ）の状態）には、イヤパッド２３Ｂの耳への装着面が対向して、Ｘ−Ｚ平面に平行な状態であるのに対して、非使用時（図２（Ｂ）の状態）には、ヘッドホンユニット２を略９０°回動させた状態とするものである。この場合、ヘッドホンユニット２Ｌと２Ｒは、それぞれ逆方向に回動し、イヤパッド２３Ｂの耳への装着面が同一方向（図２の例ではＸ方向）を向く状態とする。
【００３５】
次に、自動折畳機構３について、図４、図５を用いて詳細に説明する。先に述べたコイルばね(トーションばね)３１は、ホルダ１２の円筒部１２Ａとベース部材２１とにそれぞれ両端部が接続されており、そのため、ベース部材２１はヘッドホンバンド１に対して、常時一定方向に向けた回転力が付与されている。したがって、ヘッドホン装置の非使用時は、コイルばね３１の弾性力で常に図２（Ｂ）に示す姿勢が保持されるため、ヘッドホン装置全体としては嵩張ることがなく狭い場所でも容易に収納できる。
【００３６】
また、この自動折畳機構３には、コイルばね３１の弾性力でヘッドホンユニット２（ベース部材２１等）が必要以上に（具体的には、略９０度以上に）回動するのを阻止するために、図５に示す第２リミット手段３２が付設されている。
【００３７】
第２リミット手段３２は、ベース部材２１が円筒部材１２Ａに対して略９０度の角度範囲内で旋回動作を行うようにするためのものであり、円筒部１２Ａの外周面上で９０°位相をずらした２箇所に設置したストップ部１２１、１２２と、ベース部材２１がストップ部１２１、１２２に係止するまで旋回できるように円筒部１２Ａの外周面と対向するベース部材２１の内周面に設ける係止部２１１とで構成される。なお、図５（Ｂ）において、ベース部材２１の係止部２１１がストップ部１２１に係止した状態が非使用状態（図９に示す折り畳み状態）であって、ベース部材２１の係止部２１１がストップ部１２２に係止した状態が使用状態（図１０に示す起立状態）である。
【００３８】
続いて、電源スイッチ部４について、図６、図７を用いて詳細に説明する。電源スイッチ部４は、ヘッドホンユニット２の回動位置に応じて、電池２８からの電力の供給を制御するものである。具体的には、スピーカ２３の音響出力面（イヤパッド２３Ｂが被着される側の面）が互いに対向するように、ヘッドホンユニット２（２Ｌ）を回動させたとき（図２（Ａ）の状態）に、電源オン状態として電池２８からの電力を供給するものである。また、この状態から略９０°回動させ、スピーカ２３の音響出力面が略同一平面となるように、ヘッドホンユニット２（２Ｌ）を回動させたときに、電源オフ状態として電池２８からの電力の供給を遮断するものである。
【００３９】
電源スイッチ部４は、ヘッドホンバンド１側（具体的にはホルダ１２の円筒部材１２Ａ）に取り付けられるカム部材４１と、ヘッドホンユニット２側（具体的にはベース部材２１のスイッチ基板４２Ａ）に設けられるスイッチ４２を備える。カム部材４１は、図４に示すように、略円板状（又は略円柱状）に形成されており、ヘッドホンバンド１を固設するホルダ１２と同軸配置となるようにホルダ１２下部の円筒部１２Ａの周囲に取り付けられる。すなわち、このカム部材４１は、図２及び図６に示すように、ビス等の小ねじ４１Ａにより円筒部１２Ａに固定される。
【００４０】
このカム部材４１の一方側端面（図６、７では下端面）には、凸部４１１が形成され、この凸部４１１は、図８のカム線図で示すような形状を呈している。図８において、縦軸はカム部材４１の平坦面４１１Ａを基準とした凸部４１１のスイッチ４２と対抗する位置の厚さＬであり、横軸はヘッドホンユニット２の回動位置である。横軸の０°は、図６に示す回動位置であって、スピーカ２３の音響出力面が互いに対向する回動位置である。また、横軸の９０°は、図７に示す回動位置であって、スピーカ２３の音響出力面が略同一平面となる回動位置である。図５に示す第２リミット手段３２によってヘッドホンユニット２の回動位置が０°から９０°に制限されるので、厚さＬは、０と最大値Ｌ２の間の値となる。
【００４１】
スイッチ４２は、その作動棹４２１の位置に応じて動作状態が変化するものであるので、スイッチ４２の取り付け位置を選択することによって、作動棹４２１と凸部４１１とを当接させ、ヘッドホンユニット２の回動位置に応じて当接状態を変化させることによって、スイッチ４２の動作状態を変化させることができる。この例では、作動棹４２１が図６の状態のときに電源オンとし、図７の状態のときに電源オフとなるようにスイッチ４２を取り付ける。
【００４２】
図４に示すように、自動折畳機構３によって、ヘッドホン装置の非使用時には、図７に示す状態になっており、カム部の厚さＬがＬ２であるので、スイッチ４２は電源をオフとする。この状態からヘッドホンユニット２を図７の矢印方向に回動させると、カム部の厚さＬが次第に減少し、Ｌ１に達したところでスイッチ４２は電源をオンとする。そして、図６に示す状態では、電源オン状態が維持される。したがって、ヘッドホンユニットの回動位置に応じて電源の供給を制御することができる。
【００４３】
次に、本実施の形態のヘッドホン装置の使用時の動作について説明する。
【００４４】
（１）非使用状態
ヘッドホン装置の非使用状態では、外力が加えられない限りトーションばね３１のバネ力のみがベース部材２１に作用しているので、ヘッドホンユニット２は、第２リミット手段３２によって制限される回動位置、すなわち、イヤパッド２３Ｂの耳への装着面を、ヘッドホンバンド１が形成する平面（図２の例ではＹ−Ｚ平面）とほぼ平行な状態にする回動位置に保持される。すなわち、図９に示すように、ヘッドホンユニット２が折り畳まれた（横臥した）状態となり、嵩高が抑えられた形状となるため、自動車等のようなスペースの制限された乗り物内での収納も簡単に行うことができる。この状態では、電源スイッチ部４は、電源オフ状態となって、電池２８からの電力の供給を遮断している。
【００４５】
（２）使用状態
ヘッドホン装置を使用して、自動車等の乗り物に搭載した図示外のカーステレオ等の音響機器からの音楽等を楽しむ時には、この音響機器のスイッチをオンする。そして、図９のような折り畳み姿勢であるヘッドホン装置を収納場所から取り出し、両手で左右のヘッドホンユニット２を把持しながら図の矢印方向に捩じり、イヤパッド２３Ｂの耳への装着面が対向した状態にする。すなわち、図１０に示すような使用（起立）状態とする。
【００４６】
図９に示す状態から図１０に示す状態に変化させると、この変化によりベース部材２１が同方向に９０°旋回するので、図７に示す状態であったカム部材４１とスイッチ４２との相対位置関係が、その回動動作に連動して変化し、図６に示すような状態となる。具体的には、ベース部材２１が回動することにより、凸部４１１に押動されていた作動棹４２１が、押動されていない状態に変化する。このため、スイッチ４２の動作状態が変化し、ヘッドホン装置に電源が供給される。
【００４７】
この状態のヘッドホン装置は、頭部に装着している限り、スイッチ４２の動作状態変が化せず、ヘッドホン装置に電源が供給される状態が保持される。そして、カーステレオ等から受信部２４１で受信した音響再生信号に基づく音響信号を再生する。
【００４８】
前述したように、スイッチ４２の動作状態が変化させたときには、ポップノイズも発生する場合がある。しかし、ヘッドホン装置の使用に先立って図９の状態から図１０の状態に変化させる際には、通常一対のヘッドホンユニット２を両手で把持して回動させるため、ヘッドホンユニット２（イヤパッド）を耳へあてがう前にポップノイズが発生することになり、不快感を回避することができる。
【００４９】
（３）取り外す場合：
一方、このヘッドホン装置を頭部に装着していた使用状態から取り外し、それまで把持していたヘッドホンユニット２を離すと、自動復帰機構３が動作してヘッドホン装置を図９に示す状態にする。この状態に変化する途中でスイッチ４２が自動的にオフとなるので、電源の切り忘れが防止できる。また、電源オフに際してのポップノイズの発生もヘッドホンユニット２を耳から離した状態で起こるので、取り外しに際しての不快感も回避することができる。
【００５０】
なお、図１のヘッドホン装置は自動折畳機構３を有し、ヘッドホン装置を使用しないときには、ヘッドホンユニット２を、自動的にスピーカ２３の音響出力面が略同一平面内に存在する位置に回動させるものとしたが、自動折畳機構３は省略してもよい。その場合、利用者が、非使用時にヘッドホンユニット２を手動で回動させる。
【００５１】
また、赤外線（赤外光）通信を利用して音響機器と接続するワイヤレスタイプのヘッドホン装置について説明したが、無線通信手段としては超音波あるいは無線電波等の通信手段を利用してもよい。また、音響機器との間でコードをつないだ有線で構成してもよい。
【００５２】
さらに、電源スイッチ部４は、ヘッドホンユニットへの電源供給を制御するものとして説明したが、合わせて音響機器の電源も制御するようにしてもよい。その場合は、電源スイッチ部４の状態を音響機器側の送信する必要があるので、無線通信手段に送信機能も付加する。
【産業上の利用可能性】
【００５３】
本発明のヘッドホン装置は、電源オンオフ時のポップノイズによる不快感を回避することができ、しかも収納性が向上するので、自動車や航空機等のような収納スペースに制約がある乗り物内での使用等に有用である。
【図面の簡単な説明】
【００５４】
【図１】本発明の実施の形態のヘッドホン装置の分解斜視図
【図２】（Ａ）は本発明の実施の形態のヘッドホン装置の装着状態におけるヘッドホンユニットの姿勢を示す略線図、（Ｂ）は同ヘッドホン装置の非装着状態におけるヘッドホンユニットの姿勢を示す略線図
【図３】本発明の実施の形態のヘッドホン装置の概略ブロック図
【図４】本発明の実施の形態のヘッドホンユニット内部の電源スイッチ部の近傍を示す図
【図５】（Ａ）は本発明の実施の形態のヘッドホン装置における第２リミット手段を示す要部破段図、（Ｂ）は（Ａ）におけるＶ−Ｖ線断面図
【図６】本発明の実施の形態のヘッドホン装置におけるスイッチのオン状態を示す図
【図７】本発明の実施の形態のヘッドホン装置におけるスイッチのオフ状態を示す図
【図８】本発明の実施の形態のヘッドホン装置におけるスイッチ部のカム部材におけるカム線図
【図９】本発明の実施の形態のヘッドホン装置の非使用（折り畳み）状態を示す図
【図１０】本発明の実施の形態のヘッドホン装置の使用（起立）状態を示す図
【符号の説明】
【００５５】
１  ヘッドホンバンド
１１  ヘッドベルト
１１Ａ  取付軸
１１Ｂ  スライド孔
１２  ホルダ
１２Ａ  円筒部
１２１、１２２  ストップ部
１３  第１リミット手段
２  ヘッドホンユニット
２１  ベース部材
２１１  係止部
２２  固定基板
２３  スピーカ
２３Ｂ  イヤパッド
２４  基板
２４１  受信部
２４１Ａ  赤外線受光回路
２５  蓋部材
２８  電池
３  自動折畳機構
３１  コイルばね(トーションばね) 
３２  第２リミット手段
４  スイッチ機構
４３  引張ばね
４１  カム部材
４１Ａ  小ねじ
４１１  凸部
４２  スイッチ
４２１  作動棹
４３  引張ばね
【図１】
2005094603.tif 000003
【図２】
2005094603.tif 000004
【図３】
2005094603.tif 000005
【図４】
2005094603.tif 000006
【図５】
2005094603.tif 000007
【図６】
2005094603.tif 000008
【図７】
2005094603.tif 000009
【図８】
2005094603.tif 000010
【図９】
2005094603.tif 000011
【図１０】
2005094603.tif 000012